(57)【要約】【課題】  認証装置の変更、追加が容易な入退室管理システムを得ること。【解決手段】  個人認証データを登録して管理する複数の異なる生体情報登録管理部７０，カード情報登録管理部９０と、登録管理部７０，９０に個人認証データを登録する際に、共通ＩＤの重複が生じないように共通ＩＤの割当管理をすると共に、該共通ＩＤを登録する個人ＩＤ管理部１００と、認証装置３０，４０から収集した個別ＩＤを含む認証履歴を登録する履歴統合管理部８０と、個人ＩＤ管理部１００に共通ＩＤを登録する際には、該共通ＩＤが登録されているか否かを判断し、未登録であれば、個人ＩＤ管理部１００から新規な前記共通ＩＤを発行し、共通ＩＤの書式が登録管理部７０，９０の個別ＩＤの書式と異なるか否かを判断し、異なれば、書式に変換した個別ＩＤとし、一致しておれば、共通ＩＤとし、該個別ＩＤ又は該共通ＩＤを登録管理部７０，９０に登録するものである。【選択図】      図１
2007146599.tif 000002
【特許請求の範囲】
【請求項１】
カードリーダ、指紋、静脈などで個人認証する認証装置から個別ＩＤに基づいて、電気錠を解除・施錠することにより扉を開閉可能とするコントローラと、
前記認証装置からの個別ＩＤを含む個人認証データを登録して管理する複数の異なる認証登録管理部と、
該認証登録管理部に前記個人認証データを登録する際に、共通ＩＤの重複が生じないように前記共通ＩＤの割当管理をすると共に、該共通ＩＤを登録する個人ＩＤ管理部と、
前記認証装置から収集した個別ＩＤを含む認証履歴を登録する履歴統合管理部と、
前記個人ＩＤ管理部に前記共通ＩＤを登録する際には、該共通ＩＤが登録されているか否かを判断し、未登録であれば、前記個人ＩＤ管理部から新規な前記共通ＩＤを発行し、
前記共通ＩＤの書式が前記登録管理部の前記個別ＩＤの書式と異なるか否かを判断し、異なれば、前記書式に変換した個別ＩＤとし、一致しておれば、前記共通ＩＤとし、
該個別ＩＤ又は該共通ＩＤを前記登録管理部に登録する登録手段と、
を備えたことを特徴とする入退室管理システム。
【請求項２】
前記個人ＩＤ管理部は、前記共通ＩＤを個別ＩＤの書式にした前記個別ＩＤを前記コントローラの記憶部に記憶する、
ことを特徴とする請求項１に記載の入退室管理システム。
【請求項３】
前記履歴統合管理部は、前記コントローラの記憶部に記憶された前記個別ＩＤを含む認証履歴を受信し、受信した前記個別ＩＤを前記共通ＩＤに変換し、該共通ＩＤが前記個人ＩＤ登録部に登録されているか否かを判断し、
登録されておれば、正常データとして通行者履歴を記憶し、
登録されてなければ、異常データとして通行者履歴を記憶する、
ことを特徴とする請求項１又は２に記載の入退室管理システム。
【発明の詳細な説明】
【技術分野】
【０００１】
本発明は、入退室管理システムに関するものである。
【背景技術】
【０００２】
従来の第１の入退室管理システムは、安全性を高めるためにアンチパスバックチェック機能を有しているものがある。アンチパスバックチェック機能とは、同じ人がその部屋に入室又は退室することを禁止する機能をいい、かかる機能を実現するには下記特許文献１に示すように、部屋の入口側と出口側に設けられたカード認証装置で、ＩＤカードの照合結果がＯＫ時には、扉の電気錠を解錠して入退室が可能になされている。
上記第１の入退室管理システムによれば、アンチパスバックチェック機能も備え、ＩＤカードを所有していないと、入退室できないので、安全管理上好ましい。
【０００３】
上記第１の入退室管理システムは、認証装置がカードリーダのみであるが、多数の新規な認証装置が開発され、指紋などの生体を認証する生体認証装置も用いられて図５に示す第２の入退室管理システムが知られている。
図５において、上記第２の入退室管理システムは、各部屋のセキュリティの重要度に応じて第１扉１０，第２扉２０にそれぞれ生体認証装置３０、カード認証装置４０が設けられている。生体認証装置３０、カード認証装置４０がそれぞれ第１，第２コントローラ５０，６０を介して全個人認証データを集中管理する個人認証データ管理部１０００に種々のデータを送受し、第１，第２コントローラ５０，６０がそれぞれ第１，第２扉１０，２０の第１，第２電気錠１０ａ，２０ａを介して開閉可能にするように形成されている。なお、個人認証データには、社員番号などの個人ID（識別用番号）が割り当てられる。
【０００４】
上記第２の入退室管理システムの動作について説明する。利用者は、第１，第２扉１０，２０ごとに定められた認証装置の種類に応じて予め個人認証用データを個人認証データ管理部１０００に登録する。個人認証データ管理部１０００に登録された個人認証用データは、第１，第２コントローラ５０，６０に送信される。第１，第２コントローラ５０，６０は、コントローラ内のデータと照合し、第１，第２扉１０，２０に対する電気錠の解除・施錠を制御する。この際に行われる認証の結果は、個人認証データ管理部１０００に認証履歴データとして送信される。
第２の入退室管理システムによれば、システム内の個人認証データと認証履歴の集中管理が可能である。
【特許文献１】特公平８−３１１４５号公報
【発明の開示】
【発明が解決しようとする課題】
【０００５】
しかしながら、入退室管理システムが施工された後、部屋が用途変更になり高いセキュリティが要求されるようになると、認証装置をカード認証装置４０から生体認証装置３０に変更しなければならなくなる。認証装置が異なると、個人認証用データの形式が異なってくる。このため、個人認証データ管理部１０００のデータ管理手段が変更になり煩雑である。したがって、認証装置の変更、追加がやりにくいという問題があった。 
【０００６】
本発明は上記課題を解消するためになされたもので、複数の異なる認証装置を有し、認証装置からの個人認証データ、認証履歴データを管理すると共に、認証装置の変更、追加が容易な入退室管理システムを提供することを目的とする。
【課題を解決するための手段】
【０００７】
第１の発明に係る入退室管理システムは、カードリーダ、指紋、静脈などで個人認証する認証装置から個別ＩＤに基づいて、電気錠を解除・施錠することにより扉を開閉可能とするコントローラと、前記認証装置からの個別ＩＤを含む個人認証データを登録して管理する複数の異なる認証登録管理部と、該認証登録管理部に前記個人認証データを登録する際に、共通ＩＤの重複が生じないように前記共通ＩＤの割当管理をすると共に、該共通ＩＤを登録する個人ＩＤ管理部と、前記認証装置から収集した個別ＩＤを含む認証履歴を登録する履歴統合管理部と、前記個人ＩＤ管理部に前記共通ＩＤを登録する際には、該共通ＩＤが登録されているか否かを判断し、未登録であれば、前記個人ＩＤ管理部から新規な前記共通ＩＤを発行し、前記共通ＩＤの書式が前記登録管理部の前記個別ＩＤの書式と異なるか否かを判断し、異なれば、前記書式に変換した個別ＩＤとし、一致しておれば、前記共通ＩＤとし、該個別ＩＤ又は該共通ＩＤを前記登録管理部に登録する登録手段と、を備えたことを特徴とするものである。
【０００８】
第２の発明に係る入退室管理システムにおける個人ＩＤ管理部は、共通ＩＤを個別ＩＤの書式にした個別ＩＤをコントローラの記憶部に記憶する、ことを特徴とするものである。
【０００９】
第３の発明に係る入退室管理システムにおける履歴統合管理部は、コントローラの記憶部に記憶された個別ＩＤを含む認証履歴を受信し、受信した前記個別ＩＤを前記共通ＩＤに変換し、該共通ＩＤが個人ＩＤ登録部に登録されているか否かを判断し、登録されておれば、正常データとして通行者履歴を記憶し、登録されてなければ、異常データとして通行者履歴を記憶する、ことを特徴とするものである。
【発明の効果】
【００１０】
第１の発明によれば、複数の異なる認証装置を有し、登録手段は個人ＩＤ管理部に共通ＩＤを登録する際には、共通ＩＤの書式が登録管理部の個別ＩＤの書式と異なるか否かを判断し、異なれば、前記書式に変換した個別ＩＤとし、一致しておれば、共通ＩＤとし、該個別ＩＤ又は該共通ＩＤを登録管理部に登録したので、認証装置からの認証データを、入退室管理システムにおいて共通なＩＤを用いて管理する。これにより、認証装置の変更、追加を容易にすることができるという効果がある。
【００１１】
第２の発明によれば、個人ＩＤ管理部は、共通ＩＤを個別ＩＤの書式にした個別ＩＤをコントローラの記憶部に記憶した。これにより、コントローラは、認証装置からの個別ＩＤを含む認証データの照合を速やかにできるという効果がある。
【００１２】
第３の発明によれば、履歴統合管理部は、コントローラの記憶部に記憶された個別ＩＤを含む認証履歴を受信し、受信した個別ＩＤを共通ＩＤに変換し、該共通ＩＤが個人ＩＤ登録部に登録されているか否かを判断し、登録されておれば、正常データとして通行者履歴を記憶し、登録されてなければ、異常データとして通行者履歴を記憶する。これにより、複数の異なる認証装置からの認証履歴を、入退室管理システムにおいて一元的に管理できるという効果がある。
【発明を実施するための最良の形態】
【００１３】
実施の形態１．
本発明の一実施の形態を図１によって説明する。図１は本発明の一実施の形態を示す入退室管理システムの全体ブロック図である。図１中、図５と同一符号は同一部分を示し、適宜説明を省略する。
図１において、入退室管理システムには、各部屋のセキュリティの重要度に応じて第１扉１０，第２扉２０にそれぞれ生体認証装置３０、カード認証装置４０が設けられている。生体認証装置３０が第１コントローラ５０を介して第１個人認証データを記憶する認証登録管理部としての生体情報登録管理部７０に接続されている。カード認証装置４０が第２コントローラ６０を介して第２個人認証データを記憶する認証登録管理部としてのカード情報登録管理部９０に接続されている。第１，第２コントローラ５０，６０が第１，第２認証履歴データを記憶する認証履歴統合管理部８０に接続されている。生体情報登録管理部７０，認証履歴統合管理部８０，カード情報登録管理部９０が該登録管理部で登録する共通ＩＤの重複が生じないように共通ＩＤの割当管理をする個人ＩＤ管理部１００に接続されている。
生体認証装置３０は、指紋などの認証により個別ＩＤを発行し、カード認証装置４０はカードにより個別ＩＤを発行する。そして、個別ＩＤを本システムで共通に取扱いのできる共通ＩＤとの関係は図２の変換表に示している。
【００１４】
第１コントローラ５０には、第１電気錠１０ａを解除・施錠する第１駆動部５２と、個別ＩＤ及び第１認証履歴データなどを記憶する第１記憶部５４と、第１記憶部５４に記憶されている個別ＩＤと生体認証装置３０からの個別ＩＤが一致しているか否かを判断し、一致しておれば、第１電気錠１０ａを解除し、不一致であれば、第１電気錠１０ａを施錠する第１判断部５６とを有している。
第２コントローラ６０には、第２電気錠２０3ａを解除・施錠する第１駆動部６２と、個別ＩＤ及び第２認証履歴データなどを記憶する第２記憶部６４と、第２記憶部６４に記憶されている個別ＩＤとカード認証装置４０からの個別ＩＤが一致しているか否かを判断し、一致しておれば、第２電気錠２０ａを解除し、不一致であれば、第２電気錠２０ａを施錠する第２判断部６６とを有している。
なお、個人認証データには、社員番号などの個人ID（識別用番号）が割り当てられる。
【００１５】
上記のように構成された入退室管理システムの動作を図１から図３を参照して説明する。図３は図１の入退室管理システムにおいて生体情報を登録する手順を示すフローチャートである。
＜生体情報を生体情報登録管理部７０に登録(記憶)する手順＞
まず、生体情報登録管理部７０は、新規にＩＤを含む個人データを登録する時に、個人ＩＤ管理部１００に登録対象となる共通ＩＤを含むデータが登録されているか検索し(ステップＳ１０１)、共通ＩＤが未登録か否かを判断し(ステップＳ１０３)、未登録であれば、個人ＩＤ管理部１００は、未使用の共通ＩＤを一つ割り当てる(ステップＳ１０５)。
【００１６】
一方、ステップＳ１０３において、共通ＩＤが登録されておれば、該登録された共通ＩＤを取得する(ステップＳ１０７)。個人ＩＤ管理部１００は、共通ＩＤの書式と個別ＩＤの書式が異なるか否かを判断し(ステップＳ１０９)、書式が一致しなければ、図２に示す変換規則により７桁の共通ＩＤを個別ＩＤに変換する(ステップＳ１１１)。ここで、カード認証装置４０を用いた場合は、個別ＩＤと共通ＩＤとが同一のため上記変換規則は不要となる。
生体情報登録管理部７０は、生体情報を個別ＩＤと共に、登録し(ステップＳ１１３)、生体情報及び個別ＩＤを第１コントローラ５０に送信して、第１コントローラ５０の第１記憶部５４に記憶する(ステップＳ１１５)。
【００１７】
＜認証履歴統合管理部８０が履歴を収集する手順＞薦める
上記手順を図１、図２、図４を参照して説明する。図４は入退室管理システムにおいて認証履歴統合管理部の認証履歴データの登録手順を示すフローチャートである。
認証履歴統合管理部８０は、第１コントローラ５０から個別ＩＤを含む認証日時、認証結果、第１電気錠１０ａの解除・施錠時刻などの認証履歴データを受信し(ステップＳ２０１)、個別ＩＤを図２に示すように生体認証装置３０の種類毎に定められた規則により共通ＩＤに変換し(ステップＳ２０３)、該共通ＩＤが認証履歴統合管理部８０に登録されているか検索する(ステップＳ２０５)。
【００１８】
認証履歴統合管理部８０は、登録されているか共通ＩＤか判断し(ステップＳ２０７)、登録されておれば、正常データとして通行者履歴を記憶する(ステップＳ２０９)。一方、未登録であれば、異常データとして通行者履歴を記憶する(ステップＳ２１１)。
認証履歴統合管理部８０は、次のデータが存在しないか判断し(ステップＳ２１３)、存在すると、上記ステップＳ２０１〜Ｓ２１３を実行し、存在しなければ、終了する。
【００１９】
上記実施形態の入退室管理システムによれば、カードリーダ、指紋、静脈などで個人認証する生体認証装置３０，カード認証装置４０から個別ＩＤに基づいて、第１，第２電気錠１０ａ，２０ａを解除・施錠することにより扉を開閉可能とする第１，第２コントローラ５０，６０と、認証装置３０，４０からの個別ＩＤを含む個人認証データを登録して管理する複数の異なる生体情報登録管理部７０，カード情報登録管理部９０と、登録管理部７０，９０に個人認証データを登録する際に、共通ＩＤの重複が生じないように共通ＩＤの割当管理をすると共に、該共通ＩＤを登録する個人ＩＤ管理部１００と、認証装置３０，４０から収集した個別ＩＤを含む認証履歴を登録する履歴統合管理部８０と、個人ＩＤ管理部１００に共通ＩＤを登録する際には、該共通ＩＤが登録されているか否かを判断し、未登録であれば、個人ＩＤ管理部１００から新規な前記共通ＩＤを発行し、共通ＩＤの書式が登録管理部７０，９０の個別ＩＤの書式と異なるか否かを判断し、異なれば、書式に変換した個別ＩＤとし、一致しておれば、前記共通ＩＤとし、該個別ＩＤ又は該共通ＩＤを登録管理部７０，９０に登録する登録手段とを備えたものである。
したがって、認証装置３０，４０からの認証データを、入退室管理システムにおいて共通なＩＤを用いて管理する。これにより、認証装置３０，４０の変更、追加を容易にすることができる。
【産業上の利用可能性】
【００２０】
本発明は、入退室管理システムに適用できる。
【図面の簡単な説明】
【００２１】
【図１】本発明の一実施の形態を示す入退室管理システムの全体ブロック図である。
【図２】図１の入退室管理システムにおいて生体認証装置により認証された個別ＩＤを共通ＩＤに変換する変換図である。
【図３】図１の入退室管理システムにおいて生体情報を登録する手順を示すフローチャートである。
【図４】入退室管理システムにおいて認証履歴統合管理部の認証履歴データの登録手順を示すフローチャートである。
【図５】従来の入退室管理システムの全体ブロック図である。
【符号の説明】
【００２２】
１０  第１扉、２０  第２扉、３０  生体認証装置、４０  カード認証装置、５０  第１コントローラ、６０  第２コントローラ、７０  生体情報登録管理部、８０認証履歴統合管理部、９０  カード情報登録管理部、１００  個人ＩＤ管理部。
【図１】
2007146599.tif 000003
【図２】
2007146599.tif 000004
【図３】
2007146599.tif 000005
【図４】
2007146599.tif 000006
【図５】
2007146599.tif 000007